(57)【要約】【課題】蓋がロックを解除されて開かれるのに、相互の摩耗を少なくして少なくとも終期で制動し緩やかに開かれるようにできるようにする。【解決手段】栓４にヒンジ連結されてその外まわりを流出部３と共に開閉し、閉じ状態にて、ばね２７でロック位置を保つように付勢されたロック部材８により閉じ位置に自動的にロックされる蓋６を備え、蓋６の開き動作の少なくとも終期に制動するのに、ロック部材８は、軸２５によるヒンジ連結側にばね２７で付勢されてロック位置に保持され、蓋閉じ時ヒンジ連結側に向く係合部８ａが、栓４側に、反ヒンジ連結側に向いて設けられた係止部４３に自動的に弾性係合して蓋６を閉じ位置にロックし、ロック解除後の蓋６の開き動作の少なくとも終期で前記ばね２７を蓋６の最終開き位置への動作に抵抗を与える制動力として働かせるようにしたことで、上記の課題を解決する。【選択図】図１
2010235139.tif 000002
【特許請求の範囲】
【請求項１】
真空二重構造のボトルの口に着脱できるように装着されて、ボトル内に通じ内容液を流出させ注ぎや直飲みに供する流出部を有した栓と、この栓にヒンジ連結されて栓の外まわりを流出部と共に開閉し、かつ、閉じ状態にて、ばねでロック位置を保つように付勢されたロック部材により閉じ位置に自動的にロックされる蓋とを備え、蓋の開き動作の少なくとも終期に制動するようにしたボトルの蓋制動構造において、
ロック部材は、ヒンジ連結側にばねで付勢されてロック位置に保持され、蓋閉じ時ヒンジ連結側に向く係合部が、栓側に反ヒンジ連結側に向いて設けられた係止部に自動的に弾性係合して蓋を閉じ位置にロックし、ロック解除後の蓋の開き動作の少なくとも終期で前記ばねを蓋の最終開き位置への動作に抵抗を与える制動力として働かせるようにしたことを特徴とするボトルの蓋制動構造。
【請求項２】
真空二重構造のボトルの口に着脱できるように装着されて、ボトル内に通じ内容液を流出させ注ぎや直飲みに供する流出部を有した栓と、この栓にヒンジ連結されて栓の外まわりを流出部と共に開閉し、かつ、閉じ状態にて、ばねでロック位置を保つように付勢されたロック部材により閉じ位置に自動的にロックされる蓋とを備え、蓋の開き動作の少なくとも終期に制動するようにしたボトルの蓋制動構造において、
ロック部材は、ヒンジ連結側にばねで付勢されてロック位置に保持され、蓋閉じ時ヒンジ連結側に向く係合部が、栓側に反ヒンジ連結側に向いて設けられた係止部に自動的に弾性係合して蓋を閉じ位置にロックし、前記ばねに抗して係合部を係止部から反ヒンジ連結側に外してロックを解除するロック解除操作部が蓋の天面に臨むように設けられると共に、ロック解除後の蓋の開き動作の少なくとも終期で前記ばねを蓋の最終開き位置への動作に抵抗を与える制動力として働かせるようにしたことを特徴とするボトルの蓋制動構造。
【請求項３】
真空二重構造のボトルの口に着脱できるように装着されて、ボトル内に通じ内容液を流出させ注ぎや直飲みに供する流出部を有した栓と、この栓にヒンジ連結されて栓の外まわりを流出部と共に開閉し、かつ、閉じ状態にて、ばねでロック位置を保つように付勢されたロック部材により閉じ位置に自動的にロックされる蓋とを備え、蓋の開き動作の少なくとも終期に制動するようにしたボトルの蓋制動構造において、
ロック部材は、ヒンジ連結側にばねで付勢されてロック位置に保持され、蓋閉じ時ヒンジ連結側に向く係合部が、栓側に反ヒンジ連結側に向いて設けられた係止部に自動的に弾性係合して蓋を閉じ位置にロックし、ロック解除後の蓋の開き動作の少なくとも終期で、前記ばねを蓋の最終開き位置への動作に抵抗を与える制動力として、ロック部材および蓋をヒンジ連結する軸を受ける軸受部間を摺動させて働かせるようにしたことを特徴とするボトルの蓋制動構造。
【発明の詳細な説明】
【技術分野】
【０００１】
本発明は、真空二重構造のボトルの口に着脱できるように装着されて、ボトル内に通じ内容液を流出させ注ぎや直飲みに供する流出部を有した栓と、この栓にヒンジ連結されて栓の外まわりを流出部と共に開閉し、かつ、閉じ状態にて、ばねでロック位置を保つように付勢されたロック部材により閉じ位置に自動的にロックされる蓋とを備え、蓋の開き動作の終期に制動するようにしたボトルの蓋制動構造に関するものである。
【背景技術】
【０００２】
このようなボトルの蓋制動構造は、真空二重ボトルの優れた断熱性、スリム性を生かし、携帯用の保温、保冷容器として広く利用されるなか、簡易な蓋開き動作の少なくとも終期で、制動し、あるいは開き阻止をして、蓋の過剰な開き速度や開き位置となることによる損傷などの問題を解消するなど種々工夫され提供されている（例えば、特許文献１〜４参照。）。
【０００３】
特許文献１、２が開示する蓋制動構造は、栓に蓋をヒンジ連結して全開状態を保つようにばねで付勢し、蓋が閉じ位置へのロックを解除されてばねで開かれる際、開き動作の終期で、蓋のヒンジ連結側の突片が、栓の蓋をヒンジ連結している軸受部の外周に当接して制動ないしは停止させるようにしている。
【０００４】
特許文献３が開示する蓋制動構造は、栓の外まわりと、それに設けられてボトル内に通じ吸気を伴い内容液をスムーズに流出させる流出部および吸気部とを閉じる蓋に、栓が蓋をヒンジ連結している軸受部に対向する舌片を設け、蓋がロックを解除されて、吸気部を圧縮状態で閉じていたシール部材の弾性復元力にて所定量開かれた後の、手動での開き操作において、蓋が開かれて後部へ反転して後傾していく終期に、反転した舌片が軸受部の後部外周に弾性的に摺接して制動し、最終開き位置で舌片端部が軸受部外周の係止凹部に弾性係合して蓋を最終開き位置に安定させられるようにしている。
【０００５】
特許文献４が開示する栓構造は、栓にヒンジ連結された蓋に、の反ヒンジ連結側にばねで付勢してロック位置に保持されるロック部材を設けて、蓋が閉じられたとき蓋を閉じ位置にロックするようにし、蓋がロックを解除されてヒンジ連結部まわりに働かせたばねにより開かれる際に、全開状態の手前で栓の蓋をヒンジ連結している軸受部外周一部に設けた突条に、蓋の後縁部が一瞬当接して弾性的に乗り越える挙動を与えて、クリックストッパ機能を付与している。
【特許文献１】特許第３６２００３９号公報
【特許文献２】特許第３６２００４０号公報
【特許文献３】特開２００７−３０９９２号公報
【特許文献４】特開２００８−１３７６５７号公報
【発明の開示】
【発明が解決しようとする課題】
【０００６】
しかし、特許文献１、２、３に開示の蓋制動構造では、蓋の突片ないしは舌片が栓の蓋をヒンジ連結する軸受部の外周に当接または摺動し合うので、突片ないしは舌片に樹脂ばね性を与えるにしても、製造上、耐久性上からばね性に限界のある樹脂どうしの当接、摺接となって摩耗しやすいし、耐久性を無視すると早期折損などの問題が生じる。また、特許文献４に記載の栓構造では、蓋がばねで勢いよく開かれる途中に、蓋の後縁が栓の軸受部の外周にある突条に急激に当接して乗り越えさせられるので、衝撃が大きく互いに摩耗しやすい上に、蓋をゆっくり開かれるようにする制動の働きは望めない。
【０００７】
本発明は、蓋がロックを解除されて開かれるのに、相互の摩耗を少なくして少なくとも終期で制動し緩やかに開かれるようにできるボトルの蓋制動構造を提供することを課題とするものである。
【課題を解決するための手段】
【０００８】
上記課題を解決するため、本発明のボトルの蓋制動構造は、真空二重構造のボトルの口に着脱できるように装着されて、ボトル内に通じ内容液を流出させ注ぎや直飲みに供する流出部を有した栓と、この栓にヒンジ連結されて栓の外まわりを流出部と共に開閉し、かつ、閉じ状態にて、ばねでロック位置を保つように付勢されたロック部材により閉じ位置に自動的にロックされる蓋とを備え、蓋の開き動作の少なくとも終期に制動するようにしたボトルの蓋制動構造において、ロック部材は、ヒンジ連結側にばねで付勢されてロック位置に保持され、蓋閉じ時ヒンジ連結側に向く係合部が、栓側に反ヒンジ連結側に向いて設けられた係止部に自動的に弾性係合して蓋を閉じ位置にロックし、ロック解除後の蓋の開き動作の少なくとも終期で前記ばねを蓋の最終開き位置への動作に抵抗を与える制動力として働かせるようにしたことを１つの特徴としている。
【０００９】
このような構成では、蓋が閉じられたとき蓋に支持されているロック部材がヒンジ連結側にばねで付勢されて栓側の反ヒンジ連結側に向く係止部にヒンジ連結側に向く係合部が自動的に弾性係合して蓋を閉じ位置にロックするので、蓋が栓の外まわりを覆い、栓の流出部を閉じた状態に保持することができる。蓋が、ロック部材のばねに抗した反ヒンジ連結側へのロック解除操作にてロックを解除されて開かれるのに、その少なくとも終期でロック部材がそれを付勢しているばねを、蓋の最終開き位置への動作に抵抗を与える制動力として働かせてゆっくり開かれるようにすることができる。
【００１０】
本発明のボトルの蓋制動構造は、また、真空二重構造のボトルの口に着脱できるように装着されて、ボトル内に通じ内容液を流出させ注ぎや直飲みに供する流出部を有した栓と、この栓にヒンジ連結されて栓の外まわりを流出部と共に開閉し、かつ、閉じ状態にて、ばねでロック位置を保つように付勢されたロック部材により閉じ位置に自動的にロックされる蓋とを備え、蓋の開き動作の少なくとも終期に制動するようにしたボトルの蓋制動構造において、ロック部材は、ヒンジ連結側にばねで付勢されてロック位置に保持され、蓋閉じ時ヒンジ連結側に向く係合部が、栓側に反ヒンジ連結側に向いて設けられた係止部に自動的に弾性係合して蓋を閉じ位置にロックし、前記ばねに抗して係合部を係止部から反ヒンジ連結側に外してロックを解除するロック解除操作部が蓋の天面に臨むように設けられると共に、ロック解除後の蓋の開き動作の少なくとも終期で前記ばねを蓋の最終開き位置への動作に抵抗を与える制動力として働かせるようにしたことを別の特徴としている。
【００１１】
このような構成では、１つの特徴の場合に加え、さらに、ヒンジ連結側にばね付勢されて閉じられた蓋を閉じ位置にロックさせるロック部材が、蓋の天面に臨む操作部を反ヒンジ連結側にばねに抗し操作するだけでロックを解除することができる。
【００１２】
本願発明のボトルの蓋制動構造は、真空二重構造のボトルの口に着脱できるように装着されて、ボトル内に通じ内容液を流出させ注ぎや直飲みに供する流出部を有した栓と、この栓にヒンジ連結されて栓の外まわりを流出部と共に開閉し、かつ、閉じ状態にて、ばねでロック位置を保つように付勢されたロック部材により閉じ位置に自動的にロックされる蓋とを備え、蓋の開き動作の少なくとも終期に制動するようにしたボトルの蓋制動構造において、ロック部材は、ヒンジ連結側にばねで付勢されてロック位置に保持され、蓋閉じ時ヒンジ連結側に向く係合部が、栓側に反ヒンジ連結側に向いて設けられた係止部に自動的に弾性係合して蓋を閉じ位置にロックし、ロック解除後の蓋の開き動作の少なくとも終期で、前記ばねを蓋の最終開き位置への動作に抵抗を与える制動力として、ロック部材お
よび蓋をヒンジ連結する軸を受ける軸受部間を摺動させて働かせるようにしたことを他の特徴としている。
【００１３】
このような構成では、１つの特徴の場合に加え、さらに、ロック部材は、それをヒンジ連結側に付勢しているばねを、栓に蓋をヒンジ連結する軸受部の外周との摺接関係によって双方のいずれにもばね性を持たさずに制動力として働かせることができる。
【００１４】
本発明のそれ以上の特徴は、以下の具体的な説明および図面によって明らかになる。また、本発明の各特徴はそれ自体単独で、あるいは複合して種々な組み合わせで採用することができる。
【発明の効果】
【００１５】
本発明のボトルの蓋制動構造の１つの特徴によれば、蓋を閉じるだけで、ヒンジ連結側にばねで付勢されたロック部材のヒンジ連結側に向く係合部が、反ヒンジ連結側に向く栓の係止部に自動的に弾性係合して蓋を閉じ位置にロックして、蓋が栓の外まわりおよび栓の流出部を閉じ状態に保持するので、液漏れや熱漏れを防止できる。蓋の閉じ位置へのロックは、ロック部材のばねに抗した反ヒンジ連結側への操作で解除できるので、ボトルをヒンジ連結側から把持した片手の親指などで反ヒンジ連結側に押動する自然な操作で簡易に解除操作できる。蓋がロック解除後開かれるのに、少なくともその終期でロック部材がそれを付勢しているばねを、蓋の最終開き位置への動作に抵抗を与える制動力として働かせてゆっくり開かれるので、樹脂部材にばね性を付与して寿命低下したり、荒っぽい開き操作やばね付勢による勢い余る開き操作による早期損傷を回避できる。
【００１６】
本発明のボトルの吸気構造の別の特徴によれば、１つの特徴の場合に加え、さらに、ロック部材が、蓋の天面に臨む操作部を反ヒンジ連結側にばねに抗し操作するだけでロックを解除することができるので、ボトルをヒンジ連結部側から把持している片手の親指によって押動しロックを解除するのに好適である。
【００１７】
本願発明のボトルの吸気構造の他の特徴によれば、１つの特徴の場合に加え、さらに、ロック部材は、それをヒンジ連結側に付勢しているばねを、栓に蓋をヒンジ連結する軸受部の外周との摺接関係によって制動力として働かせるので、制動上摺接し合うロック部材および軸受部のいずれもばね性を付与することにより早期に損傷するようなことを防止でき、寿命が向上する。
【発明を実施するための最良の形態】
【００１８】
以下、本発明の実施の形態に係るボトルの蓋制動構造につき図１〜図４に示す１つの具体例を参照して詳細に説明し、本発明の理解に供する。
【００１９】
本実施の形態のボトルは図１に示すように、ステンレス製の内壁及び外壁の間に真空断熱空間２を有する真空二重構造のボトル１口部１ａに着脱できるように装着されて、ボトル１内に通じ内容液を流出させ注ぎや直飲みに供する流出部３を有した栓４と、この栓４に軸２４によりヒンジ連結されて栓の外まわりを流出部３と共に開閉し、かつ、閉じ状態にて、ばね２７でロック位置を保つように付勢されたロック部材８により閉じ位置に自動的にロックされる蓋６を備え、蓋６の開き動作の少なくとも終期に制動するようにしている。なお、図示する例の栓４は、ボトル１内に通じて内容液の流出時に外部から吸気させる吸気部５を前記流出部３に併設し、栓４にヒンジ連結されて栓４の外まわりを開閉する蓋６が閉じ状態で流出部３に併せ吸気部５をもシール部材７を介し開閉し、かつ、閉じ状態でロック部材８により閉じ位置に自動的にロックされ、ロックはロック解除操作により解除されるようにしたボトル１の吸気構造を有している。しかし、このような吸気耕造は必須とはならない。なお、図１、図２に示すように内容液を受け入れて飲用できるように
コップ９を蓋６の外側に被さるように着脱できるように装着したものとしている。しかし、これも必須とはならない。
【００２０】
本実施の形態の蓋制動構造は、特に、図１、図２に示すように、ロック部材８は、ヒンジ連結側にばね２７で付勢されてロック位置に保持され、蓋６を閉じる時ヒンジ連結側に向く図１、図３、図４に示すようなフック形状の係合部８ａが、栓４側に反ヒンジ連結側に向いて設けられた図１、図３、図４に示すような爪形状の係止部４３に自動的に弾性係合して蓋６を図１に示すように閉じ位置にロックし、ロック解除後の蓋６の開き動作の少なくとも終期で前記ばね２７を蓋の最終開き位置への動作に抵抗を与える制動力として働かせるようにしている。これにより、蓋６が閉じられたとき蓋６に支持されているロック部材８がヒンジ連結側にばね２７で付勢されて栓４側の反ヒンジ連結側に向く係止部４３にヒンジ連結側に向く係合部８ａが自動的に弾性係合して蓋６を閉じ位置にロックするので、蓋６が栓４の外まわりを覆い、栓４の流出部３および吸気部５をシール部材７をなす個別のシール部材１２、１１により閉じた状態に保持することができる。蓋６が、ロック部材８のばね２７に抗した反ヒンジ連結側へのロック解除操作にてロックを解除されて開かれるのに、その少なくとも終期でロック部材８がそれを付勢しているばね２７を、蓋６の最終開き位置への動作に抵抗を与える制動力として働かせてゆっくり開かれるようにすることができる。
【００２１】
この結果、蓋６を閉じるだけで、ヒンジ連結側にばね２７で付勢されたロック部材８のヒンジ連結側に向く係合部４３が、反ヒンジ連結側に向く栓４の係止部４３に自動的に弾性係合して蓋６を閉じ位置にロックして、蓋６が栓４の外まわりおよび栓４の流出部３および吸気部５をシール部材１２、１１により閉じ状態に保持するので、液漏れや熱漏れを防止できる。蓋６の閉じ位置へのロックは、ロック部材８のばね２７に抗した反ヒンジ連結側への操作で解除できるので、ボトル１をヒンジ連結側から把持した片手の親指などで反ヒンジ連結側に押動する自然な操作で簡易に解除操作できる。蓋６がロック解除後開かれるのに、少なくともその終期でロック部材８がそれを付勢しているばね２７を、蓋６の最終開き位置への動作に抵抗を与える制動力として働かせてゆっくり開かれるので、樹脂部材にばね性を付与して寿命低下したり、荒っぽい開き操作や、軸２４まわりに蔓巻き部を装着するなどして栓４と蓋６との間に働かせるなどした図示しないばねの付勢による勢い余る開き操作による早期損傷を回避できる。
【００２２】
また、ロック部材８は、ばね２７に抗して係合部８ａを係止部４３から反ヒンジ連結側に外してロックを解除するロック解除操作部８ｂが図１、図２、図４に示すように蓋６の天面６ａに窓６ｃを通じ臨むように設けてある。これにより、ヒンジ連結側にばね２７付勢されて閉じられた蓋６を閉じ位置にロックさせるロック部材８が、蓋６の天面６ａに臨む操作部８ｂを反ヒンジ連結側にばねに抗し操作するだけでロックを解除することができる。従って、ロック部材８が、蓋６の天面６ａに臨む操作部８ｂを反ヒンジ連結側にばね２７に抗し操作するだけでロックを解除することができるので、ボトル１をヒンジ連結部側から把持している片手の親指によって押動しロックを解除するのに好適である。
【００２３】
さらに、ロック部材８は、ロック解除後の蓋６の開き動作の少なくとも終期で、ばね２７を蓋６の最終開き位置への動作に抵抗を与える制動力として、栓４における蓋６をヒンジ連結する軸２４を受ける軸受部２５との間で摺動することで働かせるようにしている。これにより、ロック部材８は、それをヒンジ連結側に付勢しているばね２７を、栓４に蓋６をヒンジ連結する軸受部２５の外周との摺接関係によって双方のいずれにもばね性を持たさずに制動力として働かせることができる。従って、ロック部材８は、それをヒンジ連結側に付勢しているばね２７を、栓４に蓋６をヒンジ連結する軸受２５の外周との摺接関係によって制動力として働かせるので、制動上摺接し合うロック部材８および軸受部２５のいずれもばね性を付与することにより早期に損傷するようなことを防止でき、寿命が向上する。
【００２４】
具体的には、ロック部材８は樹脂製品よりなり、図１、図２、図４（ｃ）に示すようにヒンジ連結側に向く大小２段階の段部を持つほぼＺ型断面を持つように形成されて、小さな段部８ｃよりヒンジ連結側に延びた尾片８ｄを蓋６を中空にしている上板６１および下板６２間に形成した後部保持孔６３に反ヒンジ連結側からヒンジ連結側にスライドできるように挿入してヒンジ連結部に対して離接できるように保持するのに併せ、大きな段部がなす操作部８ｂおよびこの操作部８ｂから反ヒンジ連結側に延びるガイド片８ｅを蓋６の天面６ａに形成した窓６ｃを通じて天面６ａへその凹部６４に嵌り込んで臨み、尾片８ｄとガガイド片ｅとを保持孔６３と蓋６の天面の凹部６４とに案内されて、左右両側に張り出す係合部８ａが栓４の左右両側に設けられた係止部４３に係合するヒンジ連結部側のロック位置と、反ヒンジ連結側のロック解除位置との間で安定にスライドできるようにされている。そして、ロック部材の尾片８ｄの先端を舌片状に幅狭として軸受部２５の外周と擦動幅が徒に大きくならないようにしている。また、軸受部２５の外周に蓋開き側に軸２４まわりの径が増大するカム面２５ａを形成し、蓋６の開き度をますほどに制動力が増大するようにしてあり、蓋６の最大開き位置で舌片８ｄ１がカム面２５ａの終端と軸受部２５外周との段差２５ｂに係合して蓋６の閉じ側への操作に軽い抵抗を与え、蓋６を開き状態に安定させるクリック機能部としている。カム面２５ｂは蓋６の必要な開き範囲だけで制動を働かせる部分的な周方向の隆起部とすることもできる。
【００２５】
さらも詳述すると、吸気部５は、その少なくとも蓋６側への環状または筒状の空気口部がシール部材１１よりなり、蓋６がロック部材８によりロックされる図１に示す閉じ位置に至る前から蓋６に当接して蓋６が閉じ位置に至るまでの圧縮を伴いシール状態に閉じられ、蓋６のロック解除により復元して蓋６を前記ロックされる閉じ位置外へ押し開くようにしている。これにより、真空二重構造のボトル１の口１ａに装着された栓４が吸気部５を通じた外気のボトル１内への吸気を伴い、流出部３を通じた内容液のスムーズな流出を図れるようにしながら、蓋６の閉じ状態では閉じ位置にロックされた蓋６によって流出部３および吸気部５共に閉じられるようにするが、吸気部５は、流出部３から独立して、少なくとも蓋６側に突出する環状または筒状の吸気口部がシール部材１１よりなり、蓋閉じ時には、蓋６がロック部材８によりロックされる閉じ位置手前から蓋６と当接して閉じ位置までの環状または筒状での圧縮を伴いシール圧を生じて閉じられるので液漏れ、熱漏れを防止することができるし、蓋６のロック解除により復元して蓋６をロック手段８によりロックされる閉じ位置外へ押し開くので、ロック部８がロック解除後即時に解除操作から解放されても蓋６を再度ロックすることを回避することができる。
【００２６】
結果、栓４の流出部３に吸気部５を併設して吸気を伴い内容液のスムーズな流出を図りながら、蓋６の閉じ状態では閉じ位置にロックされた蓋６により流出部３に対応した範囲のシール部材１２および吸気部５に対応した範囲のシール部材１１を介し個別に閉じて内容液が流出しないようにするのに、吸気部５の蓋６側に突出する環状または筒状の吸気口部をシール部材１１として、閉じ位置にロックされる蓋６との当接によって変形自由度の高い環状または筒状での十分な圧縮量を無理なく確保したシール状態での閉じ状態に維持されて液漏れ、熱漏れを確実に防止できる上、蓋６のロックが解除されると圧縮状態からの復元により蓋６をロックされる閉じ位置外へ確実に押し開き、ロック部８が即時に解除操作から解放されても蓋６が再ロックされるのを防止した上で、半開き状態になった蓋６に手を掛けるなどして簡易に全開側に開き操作することができる。従って、蓋６を全開位置まで付勢するばねを働かせなくても使用勝手のよいものとなる。もっとも、蓋６を全開位置まで付勢するばねを設けてもよく、その場合、蓋６の急な開きを抑えた働きの緩いばねを採用して、ロック解除時の開き速度が遅くなっても、シール部材１１による蓋６の押し開き作用によって、ロック部材の解除操作からの開放に対して蓋６の開きが遅れて再ロックされるような不都合を回避できる。
【００２７】
また、流出部３は、栓４のボトルの口内に嵌まり合う中栓部４ａ内に凹陥した流出液ガイド部３ａと、この流出液ガイド部３ａの底部３ｂに開口した流出口３ｃと、を有し、吸気部５は、中栓部４ａの流出部３の凹陥部である流出液ガイド部３ａから外れた位置に設けられたものとしている。これにより、流出口部３が、ボトル１の口１ａの内周に嵌まり合う中栓部４ａの内側に凹陥した流出液ガイド部３ａとその底部３ｂの流出口３ｃとを有して、流出口３ｃから流出させた内容液を流出液ガイド３ａの凹陥している範囲の案内で乱れを整えられるし、少なくとも流出液ガイド部３ａと吸気部５の上端開口との間に段差部Ｓを確保するなどして流出液が吸気部５側に流れるのを防止しやすくなる。従って、流出口部３が、中栓部４ａの内側に凹陥した流出液ガイド部３ａの底部３ｂにある流出口３ｃから流出させた内容液を流出液ガイド部３ａの凹陥している範囲の案内で乱れを整えて注ぎ、また直飲みさせるので、注ぎやすく直飲みしやすいものとなるし、流出液が吸気部５側に流れるのを防止して吸気部５が流出水により塞がれ吸気不良となるのを回避しやすい。
【００２８】
これに対応するのに蓋６は、その下板６２に流出液ガイド部３ａに入り込んでシール部材１２により流出口３ｃに圧接してシール状態に閉じる突出部６２ａと、吸気部５のシール部材１１に圧接してシール状態に閉じる圧接部６２ｂと、を形成している。また、これを利用してロック部材８のスライド方向に対向し合う、操作部８ｂの内側と流出液ガイド部３ａとの間で前記ばね２７を働かせてある。
【００２９】
さらに、栓４は、ボトル１の口１ａの外側に着脱できるように装着された栓本体部４ｂと、この栓本体部４ｂの内周に環状のシールパッキン２１を介し着脱できるように圧入される筒状の中栓部４ａとを備え、吸気部５は、その少なくとも吸気口部が前記シールパッキン２１に一体成形された弾性を有するシール部材１１よりなり、ロック部材８によりロックされる閉じ位置手前から蓋６と当接して閉じ位置までの圧縮を伴い閉じられ、蓋６のロック解除により復元して蓋６を閉じ位置手前まで押し開くように設けてあり、蓋６を全開位置に向け付勢するばねを働かせるのに、その付勢力を極力抑えることで、万一にも蓋６を開く初動がロック解除操作力解放よりも遅れることがあったとしても、蓋６が再ロックされてしまうような不都合を回避することができる。また、流出液ガイド部３ａおよび流出口３ｃを持った中栓部４ａが、ボトル１の口１ａの外まわりに着脱できるように装着される栓本体部４ｂの内周に、環状のシールパッキン２１を介し圧入されて、双方間に働くシール圧、シール摩擦にて装着状態が保持されるし、双方間での液漏れを防止することができる上、シール圧、シール摩擦に抗抗し中栓部４ａを栓本体部４ｂの内周から抜き出して互いを独立のものとすることができる。しかも、吸気口部５のシール部材１１は、環状のシールパッキン２１と一体成形されて、部品点数少なく装備することができる。
【００３０】
したがって、流出液ガイド部３ａおよび流出口３ｃを持った中栓部４ａが、ボトル１の口１ａの外まわりに着脱できるように装着する栓本体部４ｂの内周に着脱できるように環状のシールパッキン２１を介し圧入されて、シール圧、シール摩擦により装着状態を維持して一体物として取り扱えるようにしながら、シール圧、シール摩擦に抗して双方を分離して丸洗いなどお手入れしやすくすることができるし、吸気口部５のシール部材１１は環状のシールパッキン２１に一体成形しているので、部品点数、組立工数が少なくコスト上昇を抑えられるし、シール部材を取り外して丸洗いするにも手数が掛からない利点がある。
【００３１】
さらに、コップ９を螺着して装備するのに、栓本体部３ｂの内周壁４２をボトル１の口１ａの内周に設けたねじ７１に螺合することで装着し、栓本体部３ｂの外周壁４１を口１ａよりも短くして露出する口１ａの基部まわりに、樹脂製の肩部材８２を凸凹嵌合部８３などにて無理嵌めして装着し、この肩部材８２の外周に形成したねじ８４にコップ９を螺着するようにしている。また、肩部材８２には図示しない吊紐を連結する連結ピン８５を設けてある。筒状の中栓部４ａは、栓本体部４ｂの内周壁４２の下端との間でシールパッキン２９を介し圧接して相互間をシールするフランジ部３２と、このフランジ部３２したに延びる下端部に装着されたシールパッキン３３がボトル１の口１ａの下部でボトル１が絞り加工された内向きの突部１ｂに圧接してボトル１との間をシールするようにしている。なお、シール部材１１およびシールパッキン２１は一体で、シールパッキン２９、３３がそれぞれ単独で装着されている溝などの嵌め合わせ部から着脱できる。
【産業上の利用可能性】
【００３２】
本発明は、携帯用の真空二重構造のボトルで内容液を注ぎまたはおよび直飲みする流出部に併設する吸気構造に実用して、蓋を閉じ位置にロックするロック部材とそれをロック位置に付勢するばねとを利用して、蓋の開き動作に無理なく制動を掛けて緩やかに開かれるようにすることができる。
【図面の簡単な説明】
【００３３】
【図１】本発明の実施形態のボトルの蓋制動構造を示す断面図である。
【図２】同蓋制動構造を断面して示す斜視断面図である。
【図３】同蓋制動構造を持った栓および蓋の開き状態での斜視図である。
【図４】同栓および蓋の外観斜視図および分解斜視図である。
【符号の説明】
【００３４】
１  ボトル
１ａ  口
２  真空空間
３  流出部
４  栓
４ａ  中栓部
４ｂ  栓本体部
５  吸気部
６  蓋
８  ロック部材
８ａ  係合部
８ｂ  操作部
８ｄ  尾片
８ｄ１  舌片
１１、１２  シール部材
２４  軸
２５  軸受け部
２５ａ  カム面
２７  ばね
４３  係止部
【図１】
2010235139.tif 000003
【図２】
2010235139.tif 000004
【図３】
2010235139.tif 000005
【図４】
2010235139.tif 000006